(57)【要約】  フレーム（２）と、２つの逆向きの振動板（３、３’）と、動作に際してこれらの振動板を駆動するための磁気ドライバ（１０、１０’）を各々有する２つのスピーカドライバとを備えるスピーカ装置（１）。スピーカダンパ（５、５’）が、振動板（３、３’）の各々と関連付けられており、少なくとも１つの磁気ドライバ（１０、１０’）によって駆動されるように配置されたコイルブラケット（４、４’）と、振動板（３、３’）をスピーカダンパ（５、５’）に固定して取り付けるように配置された振動板連結部材（６、６’）と、スピーカダンパ（５、５’）をフレーム（２）に固定するように配置されたダンパフレーム連結部材（８、８’）とを有する。スピーカダンパ（５、５’）は、振動板連結部材（６、６’）’とダンパフレーム連結部材（８、８’）との間に配置されたダンパ脚部材（７、７’）をさらに備える。【選択図】  図２
2021506159.tif 000002
【特許請求の範囲】
【請求項１】
フレーム（２）と、２つの逆向きの振動板（３、３’）と、動作に際して前記２つの逆向きの振動板（３、３’）を駆動するための少なくとも１つの磁気ドライバ（１０、１０’）を各々有する２つのスピーカドライバと、を備えるスピーカ装置（１）であって、
前記２つの逆向きの振動板（３、３’）の各々と関連付けられたスピーカダンパ（５、５’）をさらに備え、
前記スピーカダンパ（５、５’）が、前記関連付けられた少なくとも１つの磁気ドライバ（１０、１０’）によって駆動されるように配置されたコイルブラケット（４、４’）と、前記振動板（３、３’）を前記スピーカダンパ（５、５’）に固定して取り付けるように配置された振動板連結部材（６、６’）と、前記スピーカダンパ（５、５’）を前記フレーム（２）に固定するように配置されたダンパフレーム連結部材（８、８’）とを備え、
前記スピーカダンパ（５、５’）が、前記振動板連結部材（６、６’）と前記ダンパフレーム連結部材（８、８’）との間に配置されたダンパ脚部材（７、７’）をさらに備える、スピーカ装置（１）。
【請求項２】
前記ダンパ脚部材（７、７’）が弾性材料を含む、請求項１に記載のスピーカ装置（１）。
【請求項３】
前記ダンパ脚部材（７、７’）が平坦な細片である、請求項１または２に記載のスピーカ装置（１）。
【請求項４】
前記ダンパ脚部材（７、７’）が、前記コイルブラケット（４、４’）と前記ダンパフレーム連結部材（８、８’）との間の最短距離より長い長さを有する、請求項１〜３のいずれか一項に記載のスピーカ装置（１）。
【請求項５】
前記ダンパ脚部材（７、７’）が曲折細片である、請求項１〜４のいずれか一項に記載のスピーカ装置（１）。
【請求項６】
前記ダンパ脚部材（７、７’）が前記フレーム（２）の角領域に位置決めされている、請求項１〜５のいずれか一項に記載のスピーカ装置（１）。
【請求項７】
前記スピーカダンパ（５、５’）が鏡面対称である、請求項１〜６のいずれか一項に記載のスピーカ装置（１）。
【請求項８】
各スピーカダンパ（５、５’）の前記コイルブラケット（４、４’）の数が少なくとも２つである、請求項１〜７のいずれか一項に記載のスピーカ装置（１）。
【請求項９】
前記２つの逆向きの振動板（３、３’）が、前記少なくとも１つのモータドライバ（１０、１０’）の動作偏位距離の２倍に等しい静止中の相互距離にある、請求項１〜８のいずれか一項に記載のスピーカ装置（１）。
【請求項１０】
前記スピーカダンパ（５、５’）が、前記２つの逆向きの振動板（３、３’）の各々の２つの対向する側に存在する、請求項１〜９のいずれか一項に記載のスピーカ装置（１）。
【請求項１１】
前記振動板（３、３’）と前記スピーカダンパ（５、５’）との組み合わせが単一の加工品である、請求項１０に記載のスピーカ装置（１）。
【発明の詳細な説明】
【技術分野】
【０００１】
本発明は、スピーカの分野に関する。より具体的には、本発明は、フレームと、２つの逆向きの振動板と、２つのスピーカドライバとを備えるスピーカ装置に関する。
【背景技術】
【０００２】
スピーカは、例えば、米国特許第６８５３７３４号明細書、米国特許第７３６６３１８号明細書および米国特許第８３１１２６３号明細書に記載されている。
【発明の概要】
【０００３】
本発明は、可能な限り小さい外形寸法を有し、しかも高性能および直線性を有するスピーカ装置を提供することを追及する。
【０００４】
本発明によれば、上記のようなスピーカ装置が提供され、本スピーカ装置において各スピーカドライバは、動作に際して２つの逆向きの振動板を駆動するための少なくとも１つの磁気ドライバを有する。本スピーカ装置は、２つの逆向きの振動板の各々と関連付けられたスピーカダンパをさらに備え、スピーカダンパは、関連付けられた少なくとも１つの磁気ドライバによって駆動されるように配置されたコイルブラケットと、振動板をスピーカダンパに固定して取り付けるように配置された振動板連結部材と、スピーカダンパをフレームに固定するように配置されたダンパフレーム連結部材とを備える。スピーカダンパは、振動板連結部材とダンパフレーム連結部材との間に配置されたダンパ脚部材をさらに備える。
【０００５】
添付の図面を参照して以下で本発明をさらに詳細に論じる。
【図面の簡単な説明】
【０００６】
【図１Ａ】デュアルコーンスピーカ装置を示す斜視図である。
【図１Ｂ】デュアルコーンスピーカ装置を示す断面図である。
【図２】本発明の一実施形態によるスピーカ装置の一実施形態を示す斜視図である。
【図３】本発明のさらなる実施形態に適したスピーカ装置の部品を示す斜視図である。
【図４】本発明のさらなる実施形態に適したスピーカ装置の部品を示す断面図である。
【図５】本発明のさらなる実施形態に適したスピーカ装置の部品を示す詳細図である。
【発明を実施するための形態】
【０００７】
範囲を限定するためではなく本発明の実施形態を示すためのものにすぎないいくつかの図面を参照して、本発明を詳細に説明する。本発明の範囲は添付の特許請求の範囲においてと、その技術的均等物によって規定される。すなわち、特に明記しない限り、本発明を説明するために明示的に使用される特徴、構成要素、要素などを技術的均等物で代用できることを当業者は理解するであろう。さらに、たとえ図面に明示されず、本明細書で説明されなくても、異なる実施形態の別々の特徴を、それらの組み合わせが物理的に不可能でない限り、組み合わせることもできる。
【０００８】
いくつかの図面を参照して以下で本発明をさらに詳細に論じる。
【０００９】
本明細書に記載される例および実施形態は、本発明を限定するのではなく例示する役割を果たす。当業者であれば、特許請求の範囲から逸脱することなく代替の実施形態を設計することができるであろう。特許請求の範囲において括弧内に配置された参照符号は、特許請求の範囲を限定すると解釈されるものではない。特許請求の範囲または本明細書において別々のエンティティとして記載される品目は、記載の品目の特徴が組み合わさった単一のハードウェア品目または複数のハードウェア品目として実施され得る。
【００１０】
本発明は添付の特許請求の範囲およびその技術的均等物のみによって限定されることを理解されたい。本明細書および特許請求の範囲において、「ｃｏｍｐｒｉｓｅ（含む、備える）」という動詞およびその活用形は、具体的に言及されない品目を除外せずに、この語の後に続く品目が含まれることを意味する、その非限定的な意味において使用される。加えて、不定冠詞の「ａ」または「ａｎ」である要素に言及する場合、ただ１つだけのその要素が存在することが文脈上明白でない限り、複数のその要素が存在する可能性を排除しない。よって、不定冠詞の「ａ」または「ａｎ」は通常、「少なくとも１つの」を意味する。
【００１１】
従来の意味での二重の対向するドライバの原理を使用するスピーカにおいて、ドライバは背中合わせの位置に配置される。
【００１２】
このアーキテクチャの利点は、対向するドライバが筐体の機械的振動を打ち消すことである。この打ち消しのために、たとえ筐体がドライバとの関連で比較的軽量、低剛性、および／または小型であっても、筐体がドライバの運動によって受ける影響は著しく小さい。欠点は、設置面積が同一のドライバの奥行きの少なくとも２倍に縛られることである。
【００１３】
例えば、参照により本明細書に組み込まれる、本出願人の未公開のオランダ国特許出願第１０４２６１７号明細書に記載されているように、ドライバを集約することが、スピーカ設計において必要とされる最小体積を減らすための一方法である。対向するドライバが集約され、磁石モータが同じ平面に配置された状況において、ダイナミックスピーカの第２のサスペンションまたはダンパ（‘スパイダ’）は、対向するドライバの静止位置が原因で２つのトランスデューサの間に収まらず、内側偏位での物理的狭窄が原因で、対向するドライバのスパイダが交差することになる。スパイダは、線形偏位に必要な部品であり、線形偏位は高品質の音響再生に必要である。対向する振動板が最大音圧レベルでスピーカの中心において接触するので、サスペンションは、振動板が衝突することになるため２つの対向するドライバの振動板と一直線に並ぶことができない。
【００１４】
図１Ａおよび図１Ｂ（上記の未公開の特許出願の図４Ａおよび図４Ｂの複写であるには、スピーカ装置３００の斜視図および断面図が示されている。スピーカ装置３００のブラケット３６０、３６０’は、振動板３１２、３１４にそれぞれ取り付けられた環３６２、３６２’と一体形成されている。図示の実施形態では、ブラケット３６０、３６０’は振動板３１２、３１４と一体として形成されている。
【００１５】
スピーカ装置３００のモータ３３０、３３０’は対で配置されており、各モータ対３３０、３３０’の前者３３６がブラケット３６０、３６０’のうちの１つに連結されている。モータ対３３０、３３０’は、フレーム３１６の周りに交互に配置されている。図示のように、振動板３１２、３１４ごとにそれぞれ２対のモータ３３０、３３０’がある。共通のブラケット３６０、３６０’を共用する対としてモータ３３０、３３０’を配置することにより、各振動板の４つのモータが振動板の周りに等間隔で配置され、よって４つのブラケットを必要とする配置と比較して、振動板３１２、３１４を動かす効率が増し、またブラケット３６０、３６０’の質量も低減され得る。
【００１６】
スピーカ装置３００は、図示のように、複数の磁石３３２、３３２’を備えたモータ３３０、３３０’を使用する。各モータ３３０、３３０’は、ボイスコイル３３４、３３４’の、よって振動板３１２、３１４の偏位を増すように配置された２つの磁石３３２、３３２’を備える。
【００１７】
本発明は、分散型トランスデューササスペンションコーン、ＤＴＳＣを備えたタイプのスピーカ装置に関し、その例示的実施形態が図２の斜視図に示されている。スピーカ装置１は、フレーム２と、２つの対向する振動板３（図２では１つのみが見えている）を備える。スピーカダンパ５は、複数のコイルブラケット４を備え、コイルブラケット４は、動作に際して（上記のモータ３３０、３３０’と同様の）スピーカドライバ１０の動くコイル部品に連結される。図示の例示的実施形態では、振動板３ごとに、２つのスピーカダンパ５が存在し、各スピーカダンパ５が３つのコイルブラケット４を有する。１振動板あたり異なる数のスピーカダンパ５およびコイルブラケット４が実装されてもよいことに留意されたく、後述する代替の例示的実施形態も参照されたい。一般的に言えば、ある実施形態群では、各スピーカダンパ５、５のコイルブラケット４の数は、少なくとも２つである。別の実施形態群では、スピーカダンパ５が２つの逆向きの振動板３の各々の２つの対向する側に存在する。
【００１８】
振動板３は、振動板連結部材６を介してスピーカダンパ５に連結されている（図２では１つしか見えていないが、振動板３の２つの対向する側に設けられている）。さらに、スピーカダンパ５は、スピーカダンパ５をフレーム連結要素９に連結するための、スピーカダンパ５の両端のダンパフレーム連結部材８を備え、フレーム連結要素９はフレーム２の一部であり、例えば、図２の実施形態に示されるようにピンとして実装される。さらに、スピーカダンパ５は、コイルブラケット４とダンパフレーム連結部材８との間に位置決めされたダンパ脚部材７を備える。
【００１９】
一般的に言うと、本発明によれば、スピーカ装置が様々な実施形態において提供され、スピーカ装置１は、フレーム２と、２つの逆向きの振動板３、３’と、動作に際して２つの逆向きの振動板３、３’を駆動するための少なくとも１つの磁気ドライバ１０、１０’を各々有する２つのスピーカドライバとを備える。スピーカ装置１は、２つの逆向きの振動板３、３’の各々と関連付けられたスピーカダンパ５、５’をさらに備え、スピーカダンパ５、５’は、関連付けられた少なくとも１つの磁気ドライバ１０、１０’によって駆動されるように配置されたコイルブラケット４、４’と、振動板３、３’をスピーカダンパ５、５’に固定して取り付けるように配置された振動板連結部材６、６’と、スピーカダンパ５、５’をフレーム２に固定するように配置されたダンパフレーム連結部材８、８’とを備える。スピーカダンパ５、５’は、振動板連結部材６、６’とダンパフレーム連結部材８、８’との間に配置されたダンパ脚部材７、７’をさらに備える。
【００２０】
スピーカ装置の本発明の実施形態の構造は、スピーカ装置１に、フレーム２とそれぞれの関連付けられた振動板３のコイルブラケット４との間に連結された、直線的に適合する、柔軟で、弾性があり、平坦なスピーカダンパ５を提供し、衝突せずに、両方のドライバ／モータ１０の‘スパイダ’をスピーカ装置１の中央面と交差させることを可能にする。各図を参照して本明細書に記載される実施形態における同様の要素は、その参照番号によって表される同様または同一の要素を指すことに留意されたい。
【００２１】
特定の実施形態群では、この構造は、振動板３とスピーカダンパ５との組み合わせを、例えば射出成形された単一の加工品として製作することによって利用される。図３〜図５に、本発明によるスピーカ装置１のＤＴＳＣタイプのさらなる例示的実施形態を示す。これらの図面において、スピーカ装置１のフレーム２およびモータ／ドライバ要素１０は、スピーカダンパ５と直接関連付けられる構成要素との構造関係および寸法をより明確に示すために、省かれている。
【００２２】
図３に示されるように、本実施形態は、（対向する）振動板３、３’の存在を明確に示している。下部振動板３’の関連付けられた要素はダッシュ付き参照番号で示されている。スピーカダンパ５は振動板３の各側に設けられており、本例では、各スピーカダンパ５が２つのコイルブラケット４を備えることが明確に示されている。図３の斜視図と、図４の断面図とから、スピーカダンパ５とスピーカダンパ５の振動板３およびフレーム２への連結とを形成するすべての要素が、振動板３の各側で同じであることが明確である。さらに、対向する振動板３’についてもやはりそれら様々な要素は同じである。言い換えれば、スピーカダンパ５’および振動板３’の下部セットはスピーカダンパ５および振動板３の上部セットと同じであるが、その場合は上下逆さまであり、９０度回転されている。
【００２３】
本明細書に記載されるすべての実施形態において、本発明の実施形態のさらなる任意選択の特徴、すなわち、スピーカダンパ５、５’が（関連付けられた振動板３、３’の中心線に対して）鏡面対称である特徴が示されている。これは、スピーカ装置１の適正な線形応答を提供する際に有効であり、スピーカダンパ５、５’の製造を円滑化する。
【００２４】
やはりこれらの実施形態に示されるように、２セットのスピーカダンパ５、５’をフレーム２に取り付けることができ、ダンパフレーム連結部材８、８’が振動板の動きの方向に９例えば３〜４ｍｍの距離だけ）ずれるので、これにより、スピーカダンパ５、５’の全側面をフレーム２の４箇所だけで取り付け、しかもすべてのスピーカダンパ５、５’構成要素を、背の低いスピーカ装置１内に位置決めさせることが可能になる。また、これにより、動作中に動いているスピーカダンパ５のすべての要素を対向する振動板３、３’間の空間の外部に位置決めすることも可能になる。
【００２５】
図５に、スピーカダンパ５が、ダンパフレーム連結部材８（例えばリング）と、ダンパ脚部材７と、振動板連結部材６とを備えることを示す、図３のスピーカ装置１の一部の詳細な斜視図を示す。ダンパ脚部材７の振動板連結部材６への連結は、脚取付け体７ａを使用して実施され、脚取付け体７ａは力および運動の適切な伝達を可能にする。ダンパ脚部材７の形および材料は、振動板３の上下方向の弾性線形挙動が達成されるようなものである。一実施形態では、このために、ダンパ脚部材（７、７’）は弾性材料を含む。
【００２６】
例えば、ダンパ脚部材７は、その幅がその厚さより大きい帯状要素として、または平坦な細片としてさえも実施され得る。さらに、ダンパ脚部材７を曲折細片［請求項５］として、すなわち、ダンパフレーム連結部材８と脚取付け体７（またはコイルブラケット４）との間に直線からそれるパターンを用いて実施することにより弾性が改善され得る。特定の例示的実施形態では、ダンパ脚部材（７、７’）は、コイルブラケット（４、４’）とダンパフレーム連結部材（８、８’）との間の最短距離より長い長さを有する。
【００２７】
さらなる例として、ダンパ脚体７は、図２の実施形態に示されるように、最初は外側を指し、次に９０度左に曲がり、続いてダンパフレーム連結部材８の方へ１３５度左に曲がるコイルブラケット４への接線連結を有していてもよく、あるいは、図３〜図５の実施形態に示されるように、ダンパ脚体７は、最初は内側を指し、次にダンパフレーム連結部材８の方へ１８０度曲がるコイルブラケット４への接線連結を有していてもよい。略矩形形状としてのスピーカ装置１のフレーム２の内部空間を有することにより、コイルブラケット４の外側の角領域を使用して（曲折した）ダンパ脚部材７を位置決めすることができる。言い換えれば、別の実施形態において、ダンパ脚部材（７、７’）はフレーム（２）の角領域に位置決めされる。
【００２８】
図２〜図５に示される実施形態を参照して上述したように、先行技術のスピーカ装置における単一物体であるスパイダの代わりに、ＤＴＳＣタイプのスピーカ装置は、複数の別々のサスペンションユニット（すなわち、スピーカダンパ５）を有する。各別々のサスペンションユニット（スピーカダンパ５）は、スピーカ装置１の磁石構造と同じフレーム２内の外周領域部に、または（磁石）モータの外周の外に配置される。いずれにしても、スピーカダンパ５は、少なくとも、２つの対向するドライバの振動板３、３’の真後ろにはない。スピーカダンパ５（またはスパイダサスペンションユニット）は、多くの異なる形状および材料を有し得るが、最も重要な特性は、
スピーカダンパ５（スパイダサスペンションユニット）は、非線形運動を回避するために、振動板３（コーン）を複数の位置で（すなわち、フレーム連結要素９を介して）フレーム２に連結する、
スピーカダンパ５の構成要素（‘スパイダ物体’）は、ドライバ（すなわち、上述のコイルブラケット４）が静止位置から互いの方へ偏位するときに同じ面を移動する、および
スピーカダンパ５の構成要素（‘スパイダ物体’）は、振動板３、３の真後ろではなく、振動板の周りにある、
であることに留意されたい。
【００２９】
さらなる例示的実施形態の関連する特徴は次のとおりである。
【００３０】
１ドライバ／モータ／コイルあたり最小で２つのサスペンションユニット（すなわち、スピーカダンパ５）があり、最大はない。
【００３１】
スピーカダンパ５の材料および形状のために、スピーカダンパ５は、ドライバ／モータ偏位の方向に最も柔軟性を有し、非線形のドライバ／モータ偏位を妨げる。
【００３２】
スピーカダンパ５を、関連付けられた要素の上部と下部との間の位置で振動板３、コイルまたはコイルブラケット４に（すなわち、振動板３に、またはコイルもしくはコイルブラケット４に直接）固定することができる。
【００３３】
分散型（より具体的にはＤＣＳＴ）構成のために、スピーカ装置１内に存在するスピーカダンパ５がすべて同じコイル、コイルブラケット４または振動板３の同じ位置に連結されることは絶対にない。
【００３４】
静止位置にある振動板３、３’は、その間に、モータドライバ１０の一方向のドライバ偏位の少なくとも２倍の長さの距離を有する。言い換えれば、２つの逆向きの振動板３、３’は、少なくとも１つのモータドライバ１０、１０’の動作偏位距離の２倍に等しい静止中の相互距離にある。これにより、振動板３、３’または近くの構成要素が互いに干渉するリスクなしで振動板３、３’の可能な限り高い振幅が保証される。
【００３５】
２つの振動板３、３’は互いに対向して配置されており、どちらも別々のスピーカダンパ５の端部で固定されている。
【００３６】
別々のスピーカダンパ５はコイルブラケット４に隣接し、コイルブラケット４によって形成された境界ボックス内に留まる。スピーカダンパ５は、例えば、フレーム２の長辺でコイルブラケット４に隣接する、すなわち、（図２〜図５を参照して説明された例示的実施形態に示されるように）フレーム２の角領域内にないことも可能である。スピーカダンパ５を位置決めすることができない唯一の箇所は、振動板３、３’の中間である。
【００３７】
振動板３、３’（またはコーン）の形状は、振動板３、３’間に、少なくとも、両方の振動板３、３’の最大内側偏位を組み合わせたものと等しい距離があるように作られる。例えば、上部振動板３と下部振動板３’の両方が別々に、距離ｘの片振幅偏位を有する場合、振動板３、３’間の距離は距離２ｘである。
【００３８】
以上で本発明を図面に示されるいくつかの例示的実施形態を参照して説明した。いくつかの部品または要素の改変形態および代替の実施態様が可能であり、添付の特許請求の範囲で規定される保護範囲内に含まれる。
【図１Ａ】
2021506159.tif 000003
【図１Ｂ】
2021506159.tif 000004
【図２】
2021506159.tif 000005
【図３】
2021506159.tif 000006
【図４】
2021506159.tif 000007
【図５】
2021506159.tif 000008
【国際調査報告】
2021506159.tif 000009
2021506159.tif 000010